(57)【特許請求の範囲】
【請求項１】
放射線の入射に応じて信号電流が取り出される複数のアノード又はカソード領域を電気的に隔離する隔離領域が内部に形成された半導体基板と、前記半導体基板の前記隔離領域表面を覆う絶縁膜とを有する半導体放射線検出器において、前記絶縁膜を介して前記隔離領域外縁に隣接する近接部を少なくとも覆う電極を備え、当該電極に負電位を印加することを特徴とする半導体放射線検出器。
【発明の詳細な説明】
【０００１】
【発明の属する技術分野】
本発明は、放射線を検出する半導体放射線検出器に関する。
【０００２】
【従来の技術】
半導体放射線検出器は、物理実験や宇宙空間における高エネルギー線の検出に用いられている。従来の半導体放射線検出器は、特開平１−２２０８６７号公報（米国特許４８９６２０１号）に記載されている。この検出器は、放射線の入射に応じて信号電流が取り出される複数のアノード又はカソード領域を電気的に隔離する隔離領域が内部に形成された半導体基板と、半導体基板の隔離領域表面を覆う絶縁膜とを有してなる。
【０００３】
【発明が解決しようとする課題】
しかしながら、このような半導体放射線検出器においては、高エネルギー線の入射等によって半導体基板の隔離領域近接部に電界が集中し、バイアス電圧の耐圧が劣化する。本発明はこのような課題を解決するためになされたものであり、バイアス電圧の耐圧を向上可能な半導体放射線検出器を提供することを目的とする。
【０００４】
【課題を解決するための手段】
本発明に係る半導体放射線検出器は、放射線の入射に応じて信号電流が取り出される複数のアノード又はカソード領域を電気的に隔離する隔離領域が内部に形成された半導体基板と、半導体基板の隔離領域表面を覆う絶縁膜とを有する半導体放射線検出器において、絶縁膜を介して隔離領域外縁に隣接する近接部を少なくとも覆う電極を備え、当該電極に負電位を印加することを特徴とする。本半導体放射線検出器においては、電極が絶縁膜を介して隔離領域近接部を覆うため、高エネルギー線の照射等による隔離領域近接部の電界集中を抑制することができ、バイアス電圧の耐圧劣化を防止することができる。
【０００５】
【発明の実施の形態】
以下、実施の形態に係る半導体放射線検出器について説明する。同一要素又は同一機能を有する要素には同一符号を用いるものとし、重複する説明は省略する。
【０００６】
（第１実施形態）
図１、図２及び図３は、第１実施形態に係る半導体放射線検出器Ｄ１の平面図、Ａ−Ａ’矢印断面図及びＢ−Ｂ’矢印断面図をそれぞれ示す。半導体放射線検出器Ｄ１は、半導体基板１の表面側にストライプ状に形成された複数のカソード領域１ｋと、半導体基板１の裏面側に形成されたアノード領域１ａとを備えている。カソード領域１ｋ及びアノード領域１ａはそれぞれ高濃度のｎ型及びｐ型半導体からなる。
【０００７】
カソード領域１ｋ及びアノード領域１ａ間に逆バイアスを印加、すなわち、例えばｎ型カソード領域１ｋ側にカソード電極４を介して正電位を、ｐ型アノード領域１ａ側にアノード電極５を介して負電位を印加すると、カソード又はアノード領域１ｋ，１ａとの接合面から低濃度半導体基板１内に空乏層が広がる。放射線が検出器Ｄ１内に入射すると、半導体基板１内部で発生した電子及び正孔が内部電界に従ってそれぞれカソード領域１ｋ及びアノード領域１ａ内に流れ込み、これらは信号電流としてそれぞれに設けられたカソード電極４及びアノード電極５から取り出される。
【０００８】
カソード領域１ｋ間にはこれと反対の導電型、すなわちｐ型の隔離領域１ｉが複数整列してストライプを構成している。隔離領域１ｉは、そのストライプ領域全域を包囲する外枠領域を備え、併せて個々のカソード領域１ｋを他のカソード領域１ｋから更に隔離している。放射線の入射によって発生した電子は、近傍のカソード領域１ｋに最も多く流れ込むが、これ以外のカソード領域１ｋへの電子の流入は隔離領域１ｉによって抑制される。
【０００９】
半導体基板１表面は酸化膜等の絶縁膜２で被覆保護されており、したがって絶縁膜２はカソード領域１ｋ及び隔離領域１ｉ表面上に位置する。それぞれのカソード領域１ｋ上には絶縁膜２を介して複数のカソード電極４がそれぞれ設けられており、隔離領域１ｉ上には絶縁膜２を介して電極３が設けられている。隔離領域１ｉは単独で電子の隔離機能を有するが、本実施形態では電極３にカソード領域１ｋの電位よりも低い電位を与えて内部電子が隔離領域１ｉからカソード領域１ｋに向かう電界を生ぜしめ、隔離機能を向上させる。
【００１０】
半導体基板１の隔離領域１ｉ外側の近接部１ｉｏ（隔離領域１ｉのエッジから数μｍの領域）には、放射線の照射によって絶縁膜２内に発生した正電荷による静電引力によって電子が蓄積されやすい状態となり、これらによって隔離領域１ｉ外側近接部１ｉｏ部に電界が集中する。このような電界集中はバイアス電圧の耐圧を劣化させる。本実施形態に係る半導体放射線検出器Ｄ１は、隔離領域１ｉ上に設けられた電極３が、隔離領域１ｉ外縁、すなわちエッジに隣接する近接部１ｉｏを覆っているため、蓄積された電子を電極３に負電位を印加することによって半導体基板１の隔離領域１ｉ外縁近傍から追い出して、電界集中を抑制し、耐圧の劣化を防止する。さらに、上記蓄積電子はｎ型層を構成し、ｎ型カソード領域１ｋを含めたｎ型層間距離を短縮させて寄生容量を増加させるが、本検出器Ｄ１においては、上記蓄積電子の追い出しによって寄生容量の増加を抑制することができる。
【００１１】
なお、半導体基板１は、低濃度であればｐ型半導体であってもよいが、低濃度ｎ型半導体であることが好ましい。半導体基板１は放射線、例えばプロトンやニュートロンが照射され続けるとｐ型キャリア濃度が増加し、検出器としての機能が十分に果たせなくなる。そこで、半導体基板１は予めｎ型半導体としておき、ｐ型ドーパント濃度の増加を補償し、検出器の寿命を向上させる。
【００１２】
また、本検出器Ｄ１においては、複数のカソード領域１ｋは個別に隔離されているので、検出器Ｄ１に放射線が入射すると、対応するカソード領域１ｋと絶縁膜２を介して容量結合しているカソード電極４から交流電流が出力され、ストライプの伸延方向に直交する方向、すなわちカソード電極４の整列方向の放射線入射位置検出を行うことができる。なお、カソード電極４の幾つかは、直流逆バイアス電圧印加用の電極としてカソード領域１ｋに接触していてもよい。また、検出器Ｄ１は以下のように改良してもよい。
【００１３】
図４は、改良された半導体放射線検出器をストライプ状に配置された個々のカソード領域１ｋの伸延方向に垂直に切った縦断面図である。なお、上述の近接部１ｉｏは電極３のエッジから数μｍ内の距離Ｌにある領域である。本検出器では、アノード領域１ａ表面を絶縁膜５ｘで覆い、絶縁膜５ｘの一部領域に形成された開口を介してアノード電極５をアノード領域１ａに接触させ、半導体基板１裏面を安定化している。また、絶縁膜２とカソード電極４との間に緩衝絶縁層２ｘを形成し、カソード電極４の安定性を向上させている。ここで、カソード及びアノード電極４，５はアルミニウム、緩衝絶縁層２ｘはシリコンナイトライド、絶縁膜２はシリコン酸化膜、半導体基板１はシリコンから構成されている。
【００１４】
以上、説明したように、本半導体放射線検出器Ｄ１においては、電極３が絶縁膜２を介して隔離領域１ｉ近接部１ｉｏの少なくとも一部分を覆うため、高エネルギー線等の放射線の照射による隔離領域１ｉ近接部１ｉｏ部の電界集中を抑制することができ、バイアス電圧の耐圧劣化を防止することができる。また、カソード領域１ｋ及び隔離領域１ｉがストライプ状に配置されているので、カソード領域１ｋの整列方向に沿った１次元の放射線入射位置検出を行うことができる。
【００１５】
（第２実施形態）図５、図６及び図７は、第２実施形態に係る半導体放射線検出器Ｄ２の平面図、Ａ−Ａ’矢印断面図及びＢ−Ｂ’矢印断面図をそれぞれ示す。本検出器Ｄ２は、第１実施形態の検出器Ｄ１と比較して、電極３が絶縁膜２の開口を介して隔離領域１ｉに接触している点のみが異なる。また、この接触は、図２４に示すようにＡｌ電極３’を介して間接的に電気的接続をしても良い。すなわち、隔離領域１ｉ上、その図面左方近接部１ｉｏ上、及び図面右方近接部１ｉｏ上をポリシリコン電極３で覆い、さらにポリシリコン電極３と隔離領域１ｉとを、ポリシリコン電極３上の絶縁膜３ｘに設けられたコンタクトホールを介してＡｌ電極３’で接続し、コンタクト抵抗の増加を抑制する。この場合、電極３は隔離領域１ｉと同電位となるが、第１実施形態と同様に隔離領域１ｉ近接部１ｉｏ部の電界集中を抑制する効果を有する。電極３には直流的に負電位が印加される。また、検出器Ｄ２は以下のように改良してもよい。
【００１６】
図８は、改良された半導体放射線検出器をストライプ状に配置された個々のカソード領域１ｋの伸延方向に垂直に切った縦断面図である。本検出器は、図４に示した検出器と比較して電極３の一部分が絶縁膜２の開口を通って隔離領域１ｉと接触して隔離領域１ｉと同電位となっている点のみが異なる。
【００１７】
（第３実施形態）図９、図１０、図１１及び図１２は、第３実施形態に係る半導体放射線検出器Ｄ３の平面図、底面図、Ａ−Ａ’矢印断面図及びＢ−Ｂ’矢印断面図をそれぞれ示す。本検出器Ｄ３は、第１実施形態の検出器Ｄ１と比較して、裏面側のアノード領域１ａをストライプ状に整列した複数のアノード領域１ａ’として構成し、半導体基板１のアノード領域１ａ’表面を絶縁膜２’で被覆し、個々のアノード領域１ａ’に対応させて絶縁膜２’上にアノード電極５を設けた点のみが異なる。個々のアノード領域１ａ’の整列方向は、カソード領域１ｋの整列方向と直交しているか任意の角度を有している。
【００１８】
検出器Ｄ３に逆バイアスを印加した状態で放射線が半導体基板１内に入射すると、内部で発生した電子及び正孔がそれぞれ発生位置近傍のカソード領域１ｋ及びアノード領域１ａ’内に流入する。したがって、これらの電荷の流入した位置のカソード領域１ｋ及びアノード領域１ａ’からは信号電流がそれぞれのカソード電極４及びアノード電極５から取り出される。個々のアノード領域１ａ’の整列方向は、カソード領域１ｋの整列方向に対して所定角度を有するので、本検出器Ｄ３は２次元の放射線入射位置検出を行うことができる。
【００１９】
（第４実施形態）
図１３、図１４、図１５及び図１６は、第４実施形態に係る半導体放射線検出器Ｄ４の平面図、底面図、Ａ−Ａ’矢印断面図及びＢ−Ｂ’矢印断面図をそれぞれ示す。本検出器Ｄ４は、第３実施形態の検出器Ｄ３と比較して、表面側の隔離領域１ｉに絶縁膜２の開口を介して電極３が接触して隔離領域１ｉと同電位になっている点のみが異なり、本検出器Ｄ４においても２次元の放射線入射位置検出を行うことができる。また、第２実施形態と同様に隔離領域１ｉは電極３と間接的に電気的接触をしていても良い。
【００２０】
（第５実施形態）
図１７、図１８及び図１９は、第５実施形態に係る半導体放射線検出器Ｄ５の平面図、Ａ−Ａ’矢印断面図及びＢ−Ｂ’矢印断面図をそれぞれ示す。本検出器Ｄ５は、第１実施形態の検出器Ｄ１と比較して、半導体基板１表面側の隔離領域１ｉが縦横それぞれ２以上の開口領域を有する格子を構成するように配置し、隔離領域１ｉの各開口領域内にカソード領域１を配置し、隔離領域１ｉ及びカソード領域１ｋ上にそれぞれ電極３及び４を設けた点のみが異なる。
【００２１】
検出器Ｄ５に逆バイアスを印加した状態で放射線が半導体基板１内に入射すると、内部で発生した電子及び正孔がそれぞれ発生位置近傍のカソード領域１ｋ及びアノード領域１ａ内に流入する。それぞれのカソード領域１ｋは隔離領域１ｉで隔離された状態で２×２以上のマトリクス状に配置されているので、本検出器Ｄ５は２次元の放射線入射位置検出を行うことができる。本検出器Ｄ５は、上記ストライプ構造の検出器と比較して単一ピクセル当たりの寄生容量を小さくすることができ、応答速度及びノイズ耐性を向上させることができる。
【００２２】
（第６実施形態）
図２０、図２１及び図２２は、第６実施形態に係る半導体放射線検出器Ｄ６の平面図、Ａ−Ａ’矢印断面図及びＢ−Ｂ’矢印断面図をそれぞれ示す。本検出器Ｄ６は、第２実施形態の検出器Ｄ２と比較して、半導体基板１表面側の隔離領域１ｉが縦横それぞれ２以上の開口領域を有する格子を構成するように配置し、隔離領域１ｉの各開口領域内にカソード領域１ｋを配置し、隔離領域１ｉ及びカソード領域１ｋ上にそれぞれ電極３及び４を設けた点のみが異なる。
【００２３】
検出器Ｄ６に逆バイアスを印加した状態で放射線が半導体基板１内に入射すると、内部で発生した電子及び正孔がそれぞれ発生位置近傍のカソード領域１ｋ及びアノード領域１ａ内に流入する。それぞれのカソード領域１ｋは隔離領域１ｉで隔離された状態で２×２以上のマトリクス状に配置されているので、本検出器Ｄ６においても２次元の放射線位置検出を行うことができる。
【００２４】
以上、説明したように、上記実施形態に係る半導体放射線検出器Ｄ１〜Ｄ６は、放射線の入射に応じて信号電流が取り出される複数のカソード又はアノード領域１ｋ，１ａ（１ａ’）を電気的に隔離する隔離領域１ｉが内部に形成された半導体基板１と、半導体基板１の隔離領域表面１ｉを覆う絶縁膜２とを有する。検出器Ｄ１は、絶縁膜２を介して隔離領域１ｉ近接部１ｉｏの少なくとも一部分を覆う電極３を備える。上記実施形態に係る半導体放射線検出器Ｄ１〜Ｄ６においては、電極３が絶縁膜２を介して隔離領域１ｉ近接部１ｉｏの少なくとも一部分を覆うため、高エネルギー線等の放射線の照射や逆バイアスによるピンチオフ等による隔離領域１ｉ近接部１ｉｏ部の電界集中を抑制することができ、バイアス電圧の耐圧劣化を防止することができる。
【００２５】
なお、カソード電極４及びアノード電極５の形状は、上記に限定されるものではなく、信号電流を取り出すことができれば、円形や三角形等の形状であってもよい。さらに、カソード電極４及びアノード電極５をそれぞれカソード領域１ｋ及びアノード領域１ａに接触させて、半導体基板１内部で発生した電荷を直流的に読みだしても良い。また、各半導体領域１ａ，１ｋ，１ｉは、不純物拡散法の他、イオン注入法やエピタキシャル成長法等を用いて形成することができる。
【００２６】
最後に、放射線の照射による絶縁膜２の耐圧劣化について評価した。上記第２実施形態の半導体放射線検出器Ｄ２を１つ（実施例）、隔離領域１ｉ近接部１ｉｏを電極３が覆っていないもの、すなわち電極３が近接部１ｉｏよりも隔離領域１ｉの内側にあるものを２つ（比較例１，２）、合計３つのサンプルを作製した。それぞれのサンプルの放射線照射後のバイアス電圧とリーク電流との関係を図２３に示す。放射線の照射量は１．３３×１０14Ｐ／ｃｍ2であり、測定温度は−８℃である。同図から明らかなように、実施例に係る構造の半導体放射線検出器Ｄ２は放射線照射後もリーク電流が少なく、耐圧の劣化が抑制されている。
【００２７】
【発明の効果】
以上、説明したように、本発明の半導体放射線検出器においては、その電極が絶縁膜を介して隔離領域近接部の少なくとも一部分を覆うため、高エネルギー線の照射等による隔離領域部の電界集中を抑制することができ、バイアス電圧の耐圧劣化を防止して検出器の寿命を向上させることができる。
【図面の簡単な説明】
【図１】第１実施形態に係る半導体放射線検出器の平面図。
【図２】第１実施形態に係る半導体放射線検出器のＡ−Ａ’矢印縦断面図。
【図３】第１実施形態に係る半導体放射線検出器のＢ−Ｂ’矢印縦断面図。
【図４】第１実施形態に係る半導体放射線検出器を改良したものの縦断面図。
【図５】第２実施形態に係る半導体放射線検出器の平面図。
【図６】第２実施形態に係る半導体放射線検出器のＡ−Ａ’矢印縦断面図。
【図７】第２実施形態に係る半導体放射線検出器のＢ−Ｂ’矢印縦断面図。
【図８】第２実施形態に係る半導体放射線検出器を改良したものの縦断面図。
【図９】第３実施形態に係る半導体放射線検出器の平面図。
【図１０】第３実施形態に係る半導体放射線検出器の底面図。
【図１１】第３実施形態に係る半導体放射線検出器のＡ−Ａ’矢印縦断面図。
【図１２】第３実施形態に係る半導体放射線検出器のＢ−Ｂ’矢印縦断面図。
【図１３】第４実施形態に係る半導体放射線検出器の平面図。
【図１４】第４実施形態に係る半導体放射線検出器の底面図。
【図１５】第４実施形態に係る半導体放射線検出器のＡ−Ａ’矢印縦断面図。
【図１６】第４実施形態に係る半導体放射線検出器のＢ−Ｂ’矢印縦断面図。
【図１７】第５実施形態に係る半導体放射線検出器の平面図。
【図１８】第５実施形態に係る半導体放射線検出器のＡ−Ａ’矢印縦断面図。
【図１９】第５実施形態に係る半導体放射線検出器のＢ−Ｂ’矢印縦断面図。
【図２０】第６実施形態に係る半導体放射線検出器の平面図。
【図２１】第６実施形態に係る半導体放射線検出器のＡ−Ａ’矢印縦断面図。
【図２２】第６実施形態に係る半導体放射線検出器のＢ−Ｂ’矢印縦断面図。
【図２３】放射線照射後のバイアス電圧とリーク電流との関係を示すグラフ。
【図２４】図８に示した放射線検出器の変形例の縦断面図。
【符号の説明】
１ｋ…カソード領域、１ａ…アノード領域、１ｉ…隔離領域、１…半導体基板、２…絶縁膜、１ｉｏ…近接部。
【図１】
0004116123.tif 000002
【図２】
0004116123.tif 000003
【図３】
0004116123.tif 000004
【図４】
0004116123.tif 000005
【図５】
0004116123.tif 000006
【図６】
0004116123.tif 000007
【図７】
0004116123.tif 000008
【図８】
0004116123.tif 000009
【図９】
0004116123.tif 000010
【図１０】
0004116123.tif 000011
【図１１】
0004116123.tif 000012
【図１２】
0004116123.tif 000013
【図１３】
0004116123.tif 000014
【図１４】
0004116123.tif 000015
【図１５】
0004116123.tif 000016
【図１６】
0004116123.tif 000017
【図１７】
0004116123.tif 000018
【図１８】
0004116123.tif 000019
【図１９】
0004116123.tif 000020
【図２０】
0004116123.tif 000021
【図２１】
0004116123.tif 000022
【図２２】
0004116123.tif 000023
【図２３】
0004116123.tif 000024
【図２４】
0004116123.tif 000025